(57)【要約】      （修正有）【課題】分解、組立て施工が簡単で、椅子、机、ベッド等へ転換可能な組立て家具。【解決手段】一対の脚杆１、一対の支持杆２、一対の水平杆３、及び座板４、背もたれ５、及び複数の連結部材６から構成され、脚杆１及び支持杆２の各対の両端はそれぞれアーチ状を呈し、脚杆１の上縁部には左右対称に嵌合凹部１２を設ける。また、連結部材６は長方形状の立体であり、その上面には直線状の嵌合凹溝６１を１本設け、底面には十字に交差した嵌合凹溝６２を二本設ける。また、背もたれ５は正面から見て紡錘型を呈し、底縁部にナットを埋設する。連結部材６の二本の十字型嵌合溝６２にはそれぞれ水平杆３、及び脚杆１の嵌合凹部１２を嵌合させるとともに、支持杆２は連結部材の直線型嵌合溝６１に嵌合させた上で、座板４、及び背もたれ５を螺合させ椅子を形成する。また、二本の支持杆２上に水平に板体を固定して机やベッドとすることもできる。【選択図】図２
0003134653.tif 000002
【実用新案登録請求の範囲】
【請求項１】
両端から上向き凸状に湾曲してアーチ状を呈するとともに、上縁部に左右対称となる嵌合凹部を設けた一対の脚杆と、
両端から下向き凸状に湾曲してアーチ状を呈した一対の支持杆と、
上縁部の両端寄りの箇所ににそれぞれ嵌合凹部を設けた一対の水平杆と
二本の支持杆と整合する下向き円弧状に湾曲した座板と、
正面から見て紡錘型（中央がふくらみ、両端が尖った形状）を呈するとともに、底縁部に複数のナットを列設する背もたれと、
長方形状の立体の上面に直線状の嵌合凹溝を１本設けるとともに、底面には十字に交差した嵌合凹溝を二本設けてなる連結部材とから構成され、
前記連結部材の十字型嵌合溝と、前記水平杆上の嵌合凹部とを嵌合させ、かつ十字型嵌合溝の他方向に向かう嵌合溝と、前記脚杆の嵌合凹部とを嵌合させてなるとともに、前記支持杆を前記連結部材上面の直線型嵌合溝に嵌合させ、ネジで前記座板と支持杆を締結させて、
さらに前記座板の後方周縁部に挿通したボルトと前記背もたれの底縁部に列設したネジ穴内のナットとを螺合させるとともに、前記座板の左右両端にそれぞれ肘掛を固定し、椅子を構成することを特徴とする改良構造の組立て家具。
【請求項２】
前記脚杆、及び支持杆は単層または複層の鋼片を内部に有することにより、それぞれの強度を向上したことを特徴する請求項１に記載の改良構造の組立て家具。
【請求項３】
前記脚杆、及び支持杆のそれぞれの表面を模造木目シートで覆ったことを特徴する請求項１に記載の改良構造の組立て家具。
【請求項４】
前記脚杆、支持杆、水平杆、連結部材を連結させた後、両支持杆上に板体を水平に固定し、机又はベッドを形成することを特徴する請求項１に記載の改良構造の組立て家具。
【考案の詳細な説明】
【技術分野】
【０００１】
本考案は、組立て家具の改良構造であり、迅速簡単な施工で、椅子、机、ベッドを構成することが可能であるとともに、デザイン性にも優れた改良構造による組み立て家具である。
【背景技術】
【０００２】
従来の椅子、机、ベッド等の家具においては通常固定式で、実用性の重視に偏り、デザイン性に欠ける面があった。また、一般的に椅子、机、ベッドなどの家具はそれぞれ個別の産品となり、運搬に不便なだけでなく、現場での組み立てが不可能である品が多く、また、椅子から机やベッドなどに転換するといった別の用途での使用は不可能であるなど、従来の家具では取り外しや組立てなおしができず、実用価値の向上が困難であった。申請人は前記の欠点を鑑み、関連業務に携わってきた長年の経験と、研究、実験の結果、取り外しや組み立てが自在で椅子、机、ベッドなどに転換再構成でき、実用価値を向上した改良構造の家具を発案した。
【特許文献１】登録実用新案第３１２６４８８号公報
【考案の開示】
【考案が解決しようとする課題】
【０００３】
本考案は上述の欠点を改善するため、取り外し、組立て施工がより簡単で、組立て後に椅子、机、ベッドなどへの再転換が可能であるとともに、デザイン性も備えた改良構造の組立て家具を提供することを目的とする。
【課題を解決するための手段】
【０００４】
本考案の組立て家具の改良構造は、脚杆一対、支持杆一対、水平杆一対、及び座板、背もたれ、及び複数の連結部材から構成されてなる。該脚杆及び該支持杆の各対の両端はそれぞれ上向き凸状に湾曲し、アーチ状を呈するとともに、該脚杆の上縁部には左右対称となる嵌合凹部を設ける。また、該連結部材は長方形状の立体であり、その上面には直線状の嵌合凹溝を１本設ける一方、底面には十字に交差した嵌合凹溝を二本設ける。また、該背もたれは平面視紡錘型（中央がふくらみ、両端が尖った形状）を呈し、底縁部にナットを埋設する。該連結部材の二本の十字型嵌合溝にはそれぞれ水平杆、及び脚杆の嵌合凹部とを嵌合させるとともに、該支持杆は該連結部材上面の直線型嵌合溝に嵌合させた上で、座板、及び背もたれを螺合させ、さらに座板の左右両端に肘掛を固定して椅子を構成する。
【０００５】
上述の組み立て家具の改良構造において、該脚杆、及び該支持杆の内部に単層または複層の鋼片を有し、それぞれの強度を上げる。
【０００６】
また、上述の組立て家具の改良構造において、該脚杆、及び該支持杆のそれぞれの表面は模造木目シートで覆うことにより外観を美しく見せる。
【０００７】
また、上述の組み立て家具の改良構造において、該背もたれは、底縁部に間隔をおいて配列された複数のナットを埋設しており、座板を挿通させたネジと、該ナットとを螺合し固定させる。
【０００８】
さらに、該脚杆、該支持杆、該水平杆、該連結部材を連結させた後、該両支持杆上に板体を水平に固定し、机やベッドを構成する。
【考案の効果】
【０００９】
上述の説明のような方法により、取り外しや組立て施工がより簡単で、組立て後に椅子、机、ベッドなどへの再転換が可能であり、デザイン性に優れた組立て家具の改良構造の提供が可能となる。
【考案を実施するための最良の形態】
【００１０】
上述の目的及び効果を達成するため、本考案が採用した技術的手段及びその構造について、以下に説明図で示す実施例を用いて詳細に説明する。
【００１１】
図１、図２（図３、図４も同時に参照のこと）によると、本考案の組立て家具の改良構造は、脚杆１一対、支持杆２一対、水平杆３一対、及び座板４、背もたれ５、及び複数の連結部材６から構成される。
該脚杆１は、内部に単層または複層の鋼片１１を有して強度を上げるとともに、両端からそれぞれ上向き凸状に湾曲し、アーチ状を呈しており、その上縁部には左右対称となる嵌合凹部１２を設ける。該一対の支持杆２もまた同様に内部に単層または複層の鋼片１１を有して強度を上げるとともに、両端からそれぞれ下向き凸状に湾曲して、アーチ状を呈している。該一対の水平杆３は、上縁部の両端寄りの箇所ににそれぞれ嵌合凹部３１を設ける。該座板４は、二本の支持杆２に沿うように下向き円弧状に湾曲している。該背もたれ５は、正面から見て紡錘型（中央がふくらみ、両端が尖った形状）を呈し、その底縁部には間隔をおいて配列された複数のナット５１を埋設する。連結部材６は長方形状の立体の上面に直線状の嵌合凹溝６１を１本設け、底面には十字に交差した嵌合凹溝６２を二本設ける。
前述の連結構造において、水平杆３は連結部材６の底面にある二本の十字型嵌合溝６２のうちの一本の溝を水平杆３の嵌合凹部３１と整合するように嵌合させるとともに、十字型嵌合溝６２の他方向にある溝を脚杆１の嵌合凹部１２に被せるように嵌合させる。さらに支持杆２を連結部材６の上面の直線型嵌合溝６１に上から嵌合させた上で、木ダボ７により座板４と支持杆２を固定する（図５）。さらに、ボルト８をそれぞれ座板４の後方周縁部を挿通させて、背もたれ５の底縁部に埋設したナット５１と螺合させ、さらに座板４の左右両端にはそれぞれ肘掛９を固定し、椅子を構成する。
また、本考案の上述の実施例において、該一対の脚杆１、一対の支持杆２の表面は模造木目シートを貼り付けて外観を美しく見せる。
【００１２】
図５（図４同時に参照のこと）に示すのは本考案の組み立て過程であり、該背もたれ５を、その底縁部に埋設された複数のナット５１と、座板４の後方周縁部に挿通した複数のボルト８とで螺合して固定するだけでなく、該座板４と支持杆２の間も複数の木ダボ７により接合、座板４を支持杆２にしっかりと固定し、安定した座席やベッドの水平スペースなどを形成する。
【００１３】
図６によると、本考案はまた脚杆１、支持杆２、水平杆３と連結部材６を連結させた後に、二本の支持杆２上に水平に板体２０を固定し、机やベッドを形成する。もちろん、組み立て完成した椅子の座板４を取り外し、同様の方法で板体２０を固定することもでき、多様な用途に対応した組み立て構造であり、家具の実用価値を向上させる。
【００１４】
以上の説明、および説明図が示す実施例からも、本考案は支持杆、脚杆、及び座板等の部材により、家具の組み立て方法に改良を加え、より組み立て施工が簡単で、組立て後にも椅子、机、ベッドなどに再転換することができ、デザイン的にも優れた家具に改良を加えた。    これにより、本考案が実用性と先進性を有した、かつてない構造であることから実用新案の条件に合致すること間違いなく、所定の手続きに基づき実用新案登録申請を行う。
【図面の簡単な説明】
【００１５】
【図１】本考案の一実施例の斜視図である。
【図２】本考案の一実施例の分解斜視図である。
【図３】本考案の一実施例の支持杆と脚杆と連結部材との組み立て構造を示す拡大分解斜視図である。
【図４】本考案の一実施例の座板と背もたれとの組み立て構造を示す拡大分解斜視図である。
【図５】本考案の一実施例の座板と支持杆を組み立てた状態を示す正面図である。
【図６】本考案の別の実施例を示す斜視図である。
【符号の説明】
【００１６】
１      脚杆
１１    鋼片
１２    嵌合凹部
２      支持杆
２１    鋼片
３      水平杆
３１    嵌合凹部
４      座板
５      背もたれ
５１    ナット
６      連結部材
６１    直線型嵌合溝
６２    十字型嵌合溝
７      木ダボ
８      ボルト
９      肘掛
２０    板体
【図１】
0003134653.tif 000003
【図２】
0003134653.tif 000004
【図３】
0003134653.tif 000005
【図４】
0003134653.tif 000006
【図５】
0003134653.tif 000007
【図６】
0003134653.tif 000008
【手続補正書】
【提出日】平成19年6月13日(2007.6.13)
【手続補正１】
【補正対象書類名】実用新案登録請求の範囲
【補正対象項目名】請求項１
【補正方法】変更
【補正の内容】
【請求項１】
両端から上向き凸状に湾曲してアーチ状を呈するとともに、上縁部に左右対称となる嵌合凹部を設けた一対の脚杆と、
両端から下向き凸状に湾曲してアーチ状を呈した一対の支持杆と、
上縁部の両端寄りの箇所ににそれぞれ嵌合凹部を設けた一対の水平杆と
二本の支持杆と整合する下向き円弧状に湾曲した座板と、
正面から見て中央がふくらみ、両端が尖った形状の紡錘型を呈するとともに、底縁部に複数のナットを列設する背もたれと、
長方形状の立体の上面に直線状の嵌合凹溝を１本設けるとともに、底面には十字に交差した嵌合凹溝を二本設けてなる連結部材とから構成され、
前記連結部材の十字型嵌合溝と、前記水平杆上の嵌合凹部とを嵌合させ、かつ十字型嵌合溝の他方向に向かう嵌合溝と、前記脚杆の嵌合凹部とを嵌合させてなるとともに、前記支持杆を前記連結部材上面の直線型嵌合溝に嵌合させ、ネジで前記座板と支持杆を締結させて、
さらに前記座板の後方周縁部に挿通したボルトと前記背もたれの底縁部に列設したネジ穴内のナットとを螺合させるとともに、前記座板の左右両端にそれぞれ肘掛を固定し、椅子を構成することを特徴とする改良構造の組立て家具。